(57)【要約】【課題】コネクタ本体及び端子の大型化を来すことなく接続対象物の接触方向に直交する方向への端子の変位量を小さくすることができ、しかも接続対象物との接触圧を高めることのできるコネクタを提供する。【解決手段】端子２０を略Ｓ字状に形成することにより、接触部２６との距離Ｃ２  の短い第２の屈曲部２４を基点として変形させるようにしたので、コネクタ本体１０及び端子２０を大型化させることなく接続対象物の接触方向（Ｘ方向）に直交する方向（Ｙ方向）への接触部２６の変位量Ｂを小さくすることができる。この場合、端子２０の一端側をＹ方向に短く形成することにより、Ｘ方向に変位する先端部２８の可動範囲を回避するように形成したので、Ｘ方向への接触部２６の変位量Ａを大きくすることができる。【選択図】  図２
2004265598.tif 000002
【特許請求の範囲】
【請求項１】
接続対象物と接触する弾性変形可能な端子と、端子を保持する絶縁性のコネクタ本体とを備え、端子の一端側をコネクタ本体内に固定するとともに、端子の他端側をコネクタ本体の一端側の面から外部に突出させ、接続対象物をコネクタ本体の一端側から端子の他端側に接触させることにより、端子をコネクタ本体側に弾性変形させるようにしたコネクタにおいて、
前記端子をその他端側が一端側から所定距離だけ他端寄りに位置する部分を基点に接続対象物の接触方向に変形するように形成するとともに、
端子の一端側を接続対象物の接触方向に変位する他端側の先端部の可動範囲を回避するように形成した
ことを特徴とするコネクタ。
【請求項２】
前記端子を、その少なくとも一部が略Ｓ字状をなすように形成するとともに、
略Ｓ字状部分の各屈曲部のうち端子の他端側の屈曲部が端子の変形の基点となるように形成し、
略Ｓ字状部分の各屈曲部のうち端子の一端側の屈曲部が端子の先端部の可動範囲外に位置するように形成した
ことを特徴とする請求項１記載のコネクタ。
【請求項３】
前記コネクタ本体内に接続対象物の接触方向に変位する端子の先端部を受容する空間部を設けた
ことを特徴とする請求項１または２記載のコネクタ。
【請求項４】
前記端子の先端部をコネクタ本体の内面の所定部分に近接しながら変位するように配置した
ことを特徴とする請求項１、２または３記載のコネクタ。
【発明の詳細な説明】
【０００１】
【発明の属する技術分野】
本発明は、例えば携帯電話機用の充電式電池を携帯電話機本体側と電気的に接続するためのコネクタに関するものである。
【０００２】
【従来の技術】
一般に、携帯電話機の本体背面側には、充電式電池からなるバッテリーが着脱自在に取付けられており、バッテリーの接点には携帯電話機本体側に設けられたコネクタが接触することにより、バッテリーと携帯電話機本体がコネクタを介して電気的に接続されるようになっている（例えば、特許文献１参照。）。
【０００３】
前記コネクタは、バッテリー等の接続対象物と接触する弾性変形可能な複数の端子と、各端子を保持する絶縁性のコネクタ本体とを備え、各端子の一端側をコネクタ本体内に固定するとともに、各端子の他端側をコネクタ本体の一端側の面から外部に突出させ、接続対象物をコネクタ本体の所定方向から端子の他端側に接触させることにより、各端子をコネクタ本体側に弾性変形させて接続対象物の電気接点に圧接させるように構成されている（例えば、特許文献２参照。）。
【０００４】
【特許文献１】
特開平９−３６９４１号公報
【特許文献２】
特開２００２−１７５８５４号公報
【０００５】
【発明が解決しようとする課題】
ところで、前記コネクタでは、接続対象物に対する端子の接触圧を高めるために、端子の変形量を大きくする必要があるが、この場合は端子の変形に伴う接触部の位置ずれが問題となる。
【０００６】
例えば、図３に示す第１の従来例のように、一端側をコネクタ本体１内に固定された端子２の他端側を一端側に対して略く字状に形成した場合には、図中一点鎖線で示すように端子２の他端側は一端側との間の屈曲部２ａを基点として図中Ｘ方向及びＹ方向に変位する。この場合、屈曲部２ａはコネクタ本体１の他端側に位置するため、コネクタ本体１の一端側に位置する端子２の接触部２ｂとの距離Ｃが長くなり、端子２のＸ方向（接続対象物の接触方向）への変位量Ａが大きくなると、Ｘ方向に直交するＹ方向への接触部２ｂの変位量Ｂも大きくなる。従って、高い接触圧を得るためには、接続対象物側に端子２のＹ方向への変位量Ｂを許容するだけの広い接触部を必要とし、接触部の小さい接続対象物に対しては使用することができないという問題点があった。
【０００７】
また、図４に示す第２の従来例のように、コネクタ本体１からの端子２の突出量を小さくすることにより、Ｘ方向への端子２の変位量Ａを小さくすると、Ｙ方向への接触部２ｂの変位量Ｂも小さくなるが、その分だけ接続対象物との接触圧が低くなり、接触不良を生じ易くなる。
【０００８】
そこで、図５に示す第３の従来例のように、コネクタ本体３の高さ寸法Ｈを大きくするとともに、端子４の屈曲部４ａから接触部４ｂまでの寸法Ｌを長く形成すれば、屈曲部４ａを中心とする接触部４ｂの軌跡の曲率が小さくなり、端子４のＸ方向への変位量Ａに対する接触部４ｂのＹ方向への変位量Ｂを小さくすることができる。しかしながら、この場合はコネクタ本体３の高さ寸法が大きくなる分、コネクタ本体３及び端子４の大型化を来すという問題点がある。
【０００９】
また、図６に示す第４の従来例のように、一端側をコネクタ本体１に固定した端子５を略Ｓ字状に形成して計２箇所の屈曲部５ａ，５ｂを設けた場合には、図６（ａ）  に示すように端子５がその一端側から距離Ｃ１  だけ他端寄りに位置する一方の屈曲部５ａを基点として変形するため、その分だけ変形の基点（屈曲部５ａ）から接触部５ｃまでの距離Ｃ２  が短くなり、接触部５ｃのＹ方向の変位量Ｂを小さくすることができる。しかしながら、このように端子５を略Ｓ字状に形成した場合は、接続対象物がＸ方向に対して斜めに接触したときなど、図６（ｂ）  の一点鎖線または破線に示すように端子５の他端側がＹ方向大きくに偏った変形を生じ易くなる。このため、端子５はＹ方向に変位量Ｂ１  またはＢ２  の位置ずれを生ずる場合があり、接触部５ｃの変位量を常に小さくすることはできなかった。
【００１０】
そこで、図７に示す第５の従来例のように、略Ｓ字状に形成した端子６に計２箇所の屈曲部６ａ，６ｂを設けるとともに、一方の屈曲部６ａから接触部６ｃまでの長さＬを長く形成すれば、接続対象物が斜めに接触した場合でも、端子６がＹ方向に大きく偏った変形を生ずることがなく、接触部６ｃの変位量Ｂをほぼ一定の小さい範囲内とすることができる。しかしながら、端子６を略Ｓ字状に形成した場合、端子６の他端側の先端部６ｄが端子６の一方の屈曲部６ａから他方の屈曲部６ｂに向かって延びる真直部６ｅに当接し、その分だけ端子６のＸ方向への変位量Ａを大きくすることができないという問題点があった。
【００１１】
本発明は前記問題点に鑑みてなされたものであり、その目的とするところは、コネクタ本体及び端子の大型化を来すことなく接続対象物の接触方向に直交する方向への端子の変位量を小さくすることができ、しかも接続対象物との接触圧を高めることのできるコネクタを提供することにある。
【００１２】
【課題を解決するための手段】
本発明は前記目的を達成するために、請求項１では、接続対象物と接触する弾性変形可能な端子と、端子を保持する絶縁性のコネクタ本体とを備え、端子の一端側をコネクタ本体内に固定するとともに、端子の他端側をコネクタ本体の一端側の面から外部に突出させ、接続対象物をコネクタ本体の所定方向から端子の他端側に接触させることにより、端子をコネクタ本体側に弾性変形させるようにしたコネクタにおいて、前記端子をその他端側が一端側から所定距離だけ他端寄りに位置する部分を基点に接続対象物の接触方向に変形するように形成するとともに、端子の一端側を接続対象物の接触方向に変位する他端側の先端部の可動範囲を回避するように形成している。これにより、端子の他端側が一端側から所定距離だけ他端寄りに位置する部分を基点に変形することから、その分だけ変形の基点から先端部までの距離が短くなり、接続対象物の接触方向に直交する方向への先端部の変位量が小さくなる。この場合、端子の一端側が他端側の先端部の可動範囲を回避するように形成されていることから、端子の他端側の先端部が一端側と干渉することなくコネクタ本体の奥まで変位し、接続対象物の接触方向への端子の変位量が大きくなる。
【００１３】
また、請求項２では、請求項１記載のコネクタにおいて、前記端子を、その少なくとも一部が略Ｓ字状をなすように形成するとともに、略Ｓ字状部分の各屈曲部のうち端子の他端側の屈曲部が端子の変形の基点となるように形成し、略Ｓ字状部分の各屈曲部のうち端子の一端側の屈曲部が端子の先端部の可動範囲外に位置するように形成している。これにより、請求項１の作用に加え、端子の少なくとも一部が略Ｓ字状に形成されていることから、端子の他端側が一端側から所定距離だけ他端寄りに位置する部分を基点に変形し、且つ端子の一端側が他端側の先端部の可動範囲を回避し得る形状を容易に形成することが可能となる。
【００１４】
また、請求項３では、請求項１または２記載のコネクタにおいて、前記コネクタ本体内に接続対象物の接触方向に変位する端子の先端部を受容する空間部を設けている。これにより、請求項１または２の作用に加え、端子の先端部がコネクタ本体にも干渉することなくコネクタ本体の奥まで変位する。
【００１５】
また、請求項４では、請求項１、２または３記載のコネクタにおいて、前記端子の先端部をコネクタ本体の内面の所定部分に近接しながら変位するように配置している。これにより、請求項１、２または３の作用に加え、端子の先端部側がコネクタ本体の内面に沿うように変位することから、端子が接続対象物の接触方向に直交する方向に偏った変形を生じようとしたときでも、このような端子の変形がコネクタ本体の内面によって規制される。
【００１６】
【発明の実施の形態】
図１及び図２は本発明の一実施形態を示すもので、図１はコネクタの斜視図、図２はその側面断面図である。
【００１７】
このコネクタは、絶縁性のコネクタ本体１０と、コネクタ本体１０に保持された複数の端子２０とからなり、各端子２０は接続対象物としてのバッテリー（図示せず）と接触するようになっている。
【００１８】
コネクタ本体１０は合成樹脂の成形品からなり、各端子２０が配置される複数の端子孔１１を幅方向に間隔をおいて有している。各端子孔１１はコネクタ本体１０の前面（一端側の面）及び下面に開口しており、その上面側及び背面側（コネクタ本体１０の他端側の面側）はコネクタ本体１０の上面壁１２及び背面壁１３によって囲まれている。コネクタ本体１０の前面下部には各端子孔１１の間から前方に突出する複数の突出部１４が設けられ、各突出部１４の下面には基板等に位置決めするための突起１４ａがそれぞれ設けられている。また、コネクタ本体１０内には背面壁１３に沿って上下方向に延びる端子保持部１５が設けられ、図示していないが端子保持部１５は端子孔１１の幅方向に間隔をおいて対向するように設けられている。即ち、各端子保持部１５間に端子２０の一端側を下方から圧入することにより、端子２０がコネクタ本体１０に保持されるようになっている。この場合、端子保持部１５の上端側は上面壁１２よりも低く形成され、これにより端子保持部１５の上端と上面壁１２との間には、端子２０の先端部を受容する空間部１６が形成されている。
【００１９】
各端子２０はその一部を略Ｓ字状に形成された弾性変形可能な導電性の金属板からなり、その一端側はコネクタ本体１０に固定されている。端子２０は、コネクタ本体１０の背面壁１３に沿って上下方向に延びる第１の真直部２１と、第１の真直部２１の上端から下方に向かって屈曲する第１の屈曲部２２と、第１の屈曲部２２から下方に延びる第２の真直部２３と、第２の真直部２３の下端から斜め上方に向かって屈曲する第２の屈曲部２４と、第２の屈曲部２４からコネクタ本体１０の前面を介して外部に延びる第３の真直部２５と、第３の真直部２５の上端から前方に突出するように屈曲する接触部２６と、接触部２６から後方に延びる第４の真直部２７と、第４の真直部２７の後端側を下方に屈曲してなる先端部２８とから形成されている。第１の真直部２１の長さは、図７に示す従来例よりも短く形成され、第１の屈曲部２２が前記空間部１６よりも下方に位置するようになっている。即ち、端子２０は、略Ｓ字状部分の各屈曲部２２，２４のうち、端子２０の他端側に位置する第２の屈曲部２４を基点に接続対象物の接触方向に変形するようになっており、端子２０の一端側に位置する第１の屈曲部２２が他端側の先端部２８の可動範囲外に位置するように形成されている。
【００２０】
また、端子２０の一端側には基板等に接続される接続部２９が設けられ、接続部２９は第１の真直部２１の下端からコネクタ本体１０の前方に延出するように形成されている。更に、端子２０の先端部２８側は、コネクタ本体１０の上面壁１２に近接するように配置されている。
【００２１】
以上のように構成されたコネクタは、例えば携帯電話機におけるバッテリー収納部の基板に取付けられる。即ち、接続対象物としてのバッテリー（図示せず）が端子２０の接触部２６に接触すると、図２の一点鎖線に示すように端子２０がＸ方向に変形する。その際、端子２０の他端側は、一端側の第１の真直部２１から距離Ｃ１  だけ他端寄りに位置する第２の屈曲部２４を基点として変形するため、その分だけ変形の基点（第２の屈曲部２４）から接触部２６までの距離Ｃ２  が短くなり、Ｙ方向への接触部２６の変位量Ｂが小さくなる。また、端子２０は、その先端部２８が端子孔１１内の空間部１６に受容される位置まで変位が可能である。即ち、端子２０の一端側は第１の屈曲部２２が端子２０の先端部２８の可動範囲を回避するように形成されているため、端子２０の先端部２８が第２の真直部２３と干渉することなく端子孔１１の奥まで変位し、第２の真直部２３よりも変位量Ａ′だけ後方まで変位可能となる。これにより、端子２０のＸ方向への変位量Ａは、図７の従来例に比べて変位量Ａ′だけ大きくなる。また、端子２０がＸ方向に変形すると、その上端側が上面壁１２に沿うように変位することから、端子２０の上方への変形が上面壁１２によって規制される。
【００２２】
このように、本実施形態のコネクタによれば、一端側をコネクタ本体１０に固定される端子２０を略Ｓ字状に形成することにより、接触部２６との距離Ｃ２  の短い第２の屈曲部２４を基点として変形させるようにしたので、コネクタ本体１０及び端子２０を大型化させることなく接続対象物の接触方向（Ｘ方向）に直交する方向（Ｙ方向）への接触部２６の変位量Ｂを小さくすることができ、小型のバッテリー等のようにコネクタとの接触部の小さい接続対象物との接続に極めて有利である。この場合、端子２０の一端側をＹ方向に短く形成することにより、Ｘ方向に変位する先端部２８の可動範囲を回避するように形成したので、Ｘ方向への接触部２６の変位量Ａを大きくすることができる。これにより、接続対象物との接触圧を高めることができ、接触不良を確実に防止することができる。
【００２３】
また、コネクタ本体１０内にＸ方向に変位する端子２０の先端部２８を受容する空間部１６を設けたので、端子２０の先端部２８をコネクタ本体１０にも干渉することなく変位させることができ、端子２０のＸ方向への変位量Ａを十分に確保することができる。
【００２４】
更に、端子２０の先端部２８側をコネクタ本体１０の上面壁１２に近接しながら変形するように配置したので、端子２０の先端部２８側を上面壁１２に沿うように変位させることができる。これにより、接続対象物が斜めに接触した場合など、端子２０がＹ方向に偏った変形を生じようとしたときでも、端子２０の上方への変形を上面壁１２によって規制することができ、Ｙ方向への接触部２６の変位量Ｂの増大を確実に防止することができる。
【００２５】
尚、前記実施形態では端子２０を略Ｓ字状に形成したものを示したが、端子の一端側が他端側の可動範囲を回避するように形成されたものであれば、略Ｓ字状の端子に限られるものではない。
【００２６】
【発明の効果】
以上説明したように、請求項１または２のコネクタによれば、コネクタ本体及び端子を大型化させることなく接続対象物の接触方向に直交する方向への端子の変位量を小さくすることができ、しかも接続対象物との接触圧を高めることができるので、例えば携帯電話機用の小型のバッテリー等のようにコネクタとの接触部が凹状に形成されているものなど、接触部の小さい接続対象物との接続を接触不良を生ずることなく確実に行うことができる。また、コネクタ本体及び端子が大型化することもないので、コネクタの取付スペースの小さい小型の電子機器等に用いる場合に極めて有利である。
【００２７】
また、請求項３のコネクタによれば、請求項１または２の効果に加え、端子の先端部側をコネクタ本体にも干渉することなく変位させることができるので、接続対象物の接触方向への端子の変位量を十分に確保することができる。
【００２８】
また、請求項４のコネクタによれば、請求項１、２または３の効果に加え、接続対象物が端子に斜めに接触した場合など、端子が接続対象物の接触方向に直交する方向に偏った変形を生じようとしたときでも、このような端子の変形を規制することができるので、接続対象物の接触方向に直交する方向への端子の変位量の増大を確実に防止することができる。
【図面の簡単な説明】
【図１】本発明の一実施形態を示すコネクタの斜視図
【図２】コネクタの側面断面図
【図３】第１の従来例を示すコネクタの側面断面図
【図４】第２の従来例を示すコネクタの側面断面図
【図５】第３の従来例を示すコネクタの側面断面図
【図６】第４の従来例を示すコネクタの側面断面図
【図７】第５の従来例を示すコネクタの側面断面図
【符号の説明】
１０…コネクタ本体、１６…空間部、２０…端子、２２…第１の屈曲部、２４…第２の屈曲部、２８…先端部。
【図１】
2004265598.tif 000003
【図２】
2004265598.tif 000004
【図３】
2004265598.tif 000005
【図４】
2004265598.tif 000006
【図５】
2004265598.tif 000007
【図６】
2004265598.tif 000008
【図７】
2004265598.tif 000009